(57)【要約】【課題】従来の生体情報測定装置では、医学的知識が充分でない一般の方が使用した場合に、その判定基準が開示されていた場合であっても、数値自体が持つ印象を誤って捉えてしまい、表示された測定結果を正しく判断できない場合がある。【解決手段】使用者の尿の採集手段と、採集した尿の所定成分濃度を測定する測定手段と、少なくとも前記尿成分および同じタイミングで測定された生体情報測定値の測定結果を表示する表示手段とを有する生体情報測定装置において、前記尿成分の測定手段を所定成分毎に準備すると共に、前記尿成分の測定値に応じて、前記表示手段の表示の形態を選択することを特徴とするので、使用者は生体情報測定値の意味を誤り無く使用者に伝達し、具体的な健康管理の維持・推進活動に支障が生じることがない。【選択図】  図１
2004283203.tif 000002
【特許請求の範囲】
【請求項１】
使用者の尿の採集手段と、採集した尿の所定成分濃度を測定する測定手段と、少なくとも前記尿成分および同じタイミングで測定された生体情報測定値の測定結果を表示する表示手段とを有する生体情報測定装置において、前記尿成分の測定手段を所定成分毎に準備すると共に、前記尿成分の測定値に応じて、前記表示手段の表示の形態を選択して表示することを特徴とする生体情報測定装置の測定結果表示装置。
【請求項２】
前記尿成分は少なくとも尿糖を含む１種類以上であることを特徴とする、請求項１に記載の生体情報測定装置の測定結果表示装置。
【請求項３】
前記尿糖の測定結果は、１００ｍｇ／ｄＬ未満の濃度範囲と、１００ｍｇ／ｄＬ以上の濃度範囲で前記表示手段の表示の形態を変えることを特徴とする請求項１に記載の生体情報測定装置の測定結果表示装置。
【発明の詳細な説明】
【０００１】
【発明の属する技術分野】
本発明はトイレに設置される生体情報測定装置の測定結果表示方法を、使用者単独で理解できる方法で開示されることに係り、特に使用者が生活習慣改善に対して、誤り無く測定結果を運用可能とすることに好適な、生体情報測定装置の測定結果表示手段に関する。
【０００２】
【従来の技術】
従来、生体情報測定装置として、例えば後記する特許文献１に示される尿検査装置がある。図３は、この尿検査装置（生体情報測定装置）を備えたトイレを示す図であり、以下、その構成を簡単に説明する。
【０００３】
【特許文献１】
特開平１１−１３３０２４号公報
【０００４】
図７において、トイレに設置された便器１０１のリム上には採尿部１２が取り付けられており、採尿部１２の採尿アーム１３が、便器１０１のボウル内を回動して使用者の尿を採取する。採取された尿は、配管１５を通して本体１１へ送られ、成分が分析される。このように、生体情報測定装置１０は、採尿部１２と本体１１から構成されている。また、便器１０１には便座１０２と便ふた１０４が開閉自在に取り付けられており（図７では開状態）、便器１０１の背部にはロータンク１０５が備えられている。
【０００５】
止水栓１０８から給水管１０３を介して導かれロータンク１０５に貯えられた水は、便器１０１内の排泄物を下水に排出するために用いられるとともに、排泄物測定装置１０からの給水指令により吸水管１４を通して生体情報測定装置１０へも供給される。これにより、生体情報測定装置１０の採尿アーム１３のような尿と接する部材や図示しない尿と接する測定系路を、ロータンク１０５の水で洗浄することができるので、生体情報測定装置１０は長期間の使用にも耐えられる。
【０００６】
【発明が解決しようとする課題】
従来の生体情報測定装置では、医学的知識が充分でない使用者が使用した場合に、その判定基準が開示されていた場合であっても、数値自体が持つ印象を誤って捉えてしまい、表示された測定結果を正しく判断できない場合がある。
また生体情報として、できれば毎日測定すべきもの、１ヶ月に１回程度の測定でよいもの、数値で表示されるもの、＋や−の半定量値で表示されるものなど各種存在するため、結果として無用な心配をさせたり、生体情報測定装置の信頼性に疑問を持たせたりする場合がある。
【０００７】
本発明は、上記課題を解決するためになされたもので、本発明の目的は、生体情報測定値の意味を誤り無く使用者に伝達し、具体的な健康管理の維持・推進活動に支障が生じることのない生体情報測定装置の測定結果表示手段を提供することにある。
【０００８】
【課題を解決するための手段】
上記目的を達成するために請求項１は、使用者の尿の採集手段と、採集した尿の所定成分濃度を測定する測定手段と、少なくとも前記尿成分および同じタイミングで測定された生体情報測定値の測定結果を表示する表示手段とを有する生体情報測定装置において、前記尿成分の測定手段を所定成分毎に準備すると共に、前記尿成分の測定値に応じて、前記表示手段の表示の形態を選択して表示することを特徴とするので、使用者は生体情報測定値の意味を誤り無く使用者に伝達し、具体的な健康管理の維持・推進活動に支障が生じることがない。
【０００９】
上記目的を達成するために請求項２は、前記尿成分は少なくとも尿糖を含む１種類以上であることを特徴とするので、食事・運動など日々の生活習慣に対して最も短時間で反応するものが選定されており、日々の行動変容の動機付けとして優れている。
【００１０】
上記目的を達成するために請求項３は、前記尿糖の測定結果は、１００ｍｇ／ｄＬ未満の濃度範囲と、１００ｍｇ／ｄＬ以上の濃度範囲で前記表示手段の表示の形態を変えることを特徴とするので、正常域と異常域を誤り無く判断することができる。
【００１１】
【発明の実施の形態】
表１は、トイレで用便する時に測定可能な生体情報測定値の内容を示す代表例である。各々の測定結果で判定可能な疾病、および、推奨される測定の間隔が開示されている。生体情報測定値は食事・運動などによって日々変動するものや、疾病の進行によって徐々に変動するものがある。基準値としても、範囲が存在するものだけでなく、大きければ大きい程良いものや、小さければ小さい程良いものがある。表示形態としても、数字として定量表示されるものや、−や＋などの半定量記号で開示するものがある。これらの内容は健康管理のためにきわめて重要なものであるが、特別に医学的知識を持たないものにとっては判断が難しく、測定結果を誤って判断してしまったり、具体的に実施しなければならない生活習慣改善を推進できなくしてしまう恐れがある。
【００１２】
代表例で取り上げた各測定項目に対しては、各々、一般的に使用させるセンシング方法があり、測定精度を変えることは技術的な難易度が高い。
尿糖・・・・・・・・・酵素固定化膜電極法（定量）、試験紙呈色法（半定量）
尿タンパク・・・・・・試験紙呈色法（半定量）
尿ウロビリノーゲン・・試験紙呈色法（半定量）
尿潜血・・・・・・・・試験紙呈色法（半定量）
大便潜血・・・・・・・抗体反応法（半定量）
体重（ＢＭＩ）・・・・ロードセル法（定量）
体脂肪率・・・・・・・インピーダンス法（定量）
最高・最低血圧・・・・圧力センサー法（定量）
測定方法として定量数値であることが望まれても、測定方法の技術的側面から半定量値のものを定量値とすることはできない。また定量値のものを半定量値のものとすると、測定コストが高くなるなどする場合もあり、測定精度を下げれば測定に掛かる費用を抑制できるものでもない。測定結果の表示方法は、技術的背景・実績・取り扱いの行いやすさなどから選定されている。
【００１３】
図１は、本発明の一実施形態に係る排泄物測定装置の表示形態を示す図である。トイレで測定可能な生体情報として、尿糖値の判断方法の事例を示している。生態情報測定装置１０の上面には、測定結果を使用者に開示するための表示手段２０が配置されている。蛍光表示管・ＬＥＤ・ＬＣＤ・ＥＬ・プラズマディスプレイなど各種表示媒体がある。表示手段２０には、測定結果２１と、その測定結果が何かを示す測定項目２２、および、判定結果２３が使用者に対して開示されている。測定実施日・時間などが同時に表示されても良い。
【００１４】
本事例では、「２００２年７月２３日１３時３０分」に測定した「尿糖値」、「７０ｍｇ／ｄＬ」で、「基準値以内」であることが開示されている。
尿糖値は食事や運動など、日々の生活習慣と密接に関連して変動すると共に、非観血・非侵襲であるため生活習慣改善の動機付け、実践推進のために優れた指標である。尿糖値は血糖値が腎臓の排泄閾値をオーバーした時に、尿中に出現するものであり、食後１〜３時間程度の値が最高値を示し、糖尿病の早期発見に対しては最も優れるとされている。毎日、この食後尿糖値で生活習慣改善のコツを使用者が自分自身で掴むことが推奨される。
【００１５】
さて食後尿糖値は１００ｍｇ／ｄＬ未満の濃度が基準値とされている。腎臓の排泄閾値に対して、食後尿糖値のピークに余裕が有ればあるほど低い値を示す。しかし医学的知識が乏しい一般の方は、基準値として範囲があると思いこみやすい。従って尿糖値だけを表示した場合、測定値が０ｍｇ／ｄＬやそれに近い値であると、自分の体調に疑問を感じたり、測定器の信頼性に疑問を感じることになる。
また低い濃度を測定しようとした場合、一般に尿中の妨害成分の影響が出現しやすい。尿糖値を酵素固定化膜センサーを使用して測定しようとした場合は、その妨害成分がアスコルビン酸（ビタミンＣ）や溶存塩素などである。低濃度ではその影響が出現しやすいが、正常域である食後尿糖値は１００ｍｇ／ｄＬ未満の濃度では「基準値以内」ということが開示されているため、細かな有効数字に対して使用者が心を惑わすことが無くなる。
「基準値以内」である測定結果に対しては、測定値を表示せず、「基準値以内」であることだけを開示しても良い。
【００１６】
尿に起因する成分、大便に起因する成分、体型に起因する測定結果を測定された結果に付加して、どのように判断すればよいかが同時に開示されている。使用者はその表示形態によって、測定値の持つ意味を判断し、例えば食事や運動など自分でできる生活習慣改善を実施したり、医師の診断を受けるような医療的処置の必要性を判断することができる。
【００１７】
図２は本発明の表示方法の考え方を示すフローチャート図である。測定項目と測定結果は、各々の基準値と比較され、基準値以内である場合に「測定結果」と同時に「基準値以内」が開示されることになる。
【図面の簡単な説明】
【表１】2004283203.tif 000003
トイレで用便する時に測定可能な生体情報測定値の内容を示す代表例であ
る。
【図１】本発明の一実施形態に係る排泄物測定装置の表示形態を示す図である。
【図２】本発明の表示方法の考え方を示すフローチャート図である。
【図３】従来の生体情報測定装置を備えたトイレを示す図
【符号の説明】
１０…生体情報測定装置
１１…本体
１２…採尿部
１３…採尿アーム
１４…吸水管
１５…配管
２０…表示手段
２１…測定結果
２２…測定項目
２３…判定結果
１０１…便器
１０２…便座
１０３…給水管
１０４…便ふた
１０５…ロータンク
１０８…止水栓
【図１】
2004283203.tif 000004
【図２】
2004283203.tif 000005
【図３】
2004283203.tif 000006